(57)【要約】クラブシャフトの所定の剛性またはベンディングモーメントを交換可能に変更するために、ゴルフクラブシャフトの内部の中に取り外し可能および交換可能に装着するための挿入物を含むゴルフ付属品が提供される。細長い中空ロッドを含む所定の剛性またはベンディングモーメントのゴルフクラブシャフトと、該クラブシャフトの該所定の剛性またはベンディングモーメントを交換可能に変更するために該クラブシャフトの中空内部の中に取り外し可能および交換可能に配置される挿入物とを含むアセンブリも提供される。
2008521491.tif 000002
【特許請求の範囲】
【請求項１】
クラブシャフトの所定の剛性またはベンディングモーメントを交換可能に変更するために、ゴルフクラブシャフトの内部の中に取り外し可能および交換可能に装着するための挿入物を備える、ゴルフ付属品。
【請求項２】
前記挿入物が、前記クラブシャフトとの取り外し可能な圧入結合を形成する、請求項１に記載の付属品。
【請求項３】
前記挿入物が、第１の部分および第２の部分を含み、かつ該第１の部分が、該第２の部分とは異なる剛性を有する、請求項１に記載の付属品。
【請求項４】
前記挿入物が、第１の部分および第２の部分を含み、かつ該第１の部分が、該第２の部分とは異なる材料を用いて作成される、請求項１に記載の付属品。
【請求項５】
前記挿入物が、該挿入物の残りの部分と比べてより可撓性のある第１の部分を含む、請求項１に記載の付属物。
【請求項６】
前記挿入物の前記第１の部分が、該挿入物の前記残りの部分と比べてより柔らかい材料から成る、請求項５に記載の付属品。
【請求項７】
前記挿入物の前記第１の部分が、該挿入物の前記残りの部分の側壁の厚さと比べてより薄い側壁の厚さを含む、請求項５に記載の付属品。
【請求項８】
前記挿入物の前記第１の部分が、少なくとも１つのスロットを含む、請求項５に記載の付属品。
【請求項９】
前記挿入物の内壁に固定して取り付けられたプラグをさらに備える、請求項１に記載の付属品。
【請求項１０】
前記プラグが、前記挿入物の前記クラブシャフトからの取り外しを容易にするためにツールを取り外し可能に受け入れる、請求項９に記載の付属品。
【請求項１１】
前記ツールが、前記挿入物の前記クラブシャフトからの取り外しの間において、固定した取り外し可能取り付けを形成するために、前記プラグにおけるねじ山付き開口部をねじ込むように係合するねじ山付き部を含む、請求項１０に記載の付属品。
【請求項１２】
キーシャフトの一部が前記挿入物の前記クラブシャフトからの取り外しを容易にするために前記プラグと係合するように、前記ツールが、該プラグにおけるキーウェイへの挿入のための該キーシャフトを含む、請求項１０に記載の付属品。
【請求項１３】
前記ゴルフクラブシャフトの前記内部の中に取り外し可能および交換可能に装着するための少なくとももう１つの挿入物をさらに備え、各挿入物が、異なる剛性またはベンディングモーメントを含む、請求項１に記載の付属品。
【請求項１４】
細長い中空ロッドを含む所定の剛性またはベンディングモーメントのゴルフクラブシャフトと、
該クラブシャフトの該所定の剛性またはベンディングモーメントを交換可能に変更するために、該クラブシャフトの中空内部の中に取り外し可能および交換可能に配置される挿入物と
を備える、アセンブリ。
【請求項１５】
前記挿入物が、前記クラブシャフトとの取り外し可能な圧入結合を形成する、請求項１４に記載のアセンブリ。
【請求項１６】
前記挿入物が、第１の部分および第２の部分を含み、かつ該第１の部分が、該第２の部分とは異なる剛性を有する、請求項１４に記載のアセンブリ。
【請求項１７】
前記挿入物が、第１の部分および第２の部分を含み、かつ該第１の部分が、該第２の部分とは異なる材料を用いて作成される、請求項１４に記載のアセンブリ。
【請求項１８】
前記挿入物が、該挿入物の残りの部分と比べてより可撓性のある第１の部分を含む、請求項１４に記載のアセンブリ。
【請求項１９】
前記挿入物の前記第１の部分が、該挿入物の前記残りの部分と比べてより柔らかい材料から成る、請求項１８に記載のアセンブリ。
【請求項２０】
前記挿入物の前記第１の部分が、該挿入物の前記残りの部分の側壁の厚さと比べてより薄い側壁の厚さを含む、請求項１８に記載のアセンブリ。
【請求項２１】
前記挿入物の前記第１の部分が、少なくとも１つのスロットを含む、請求項１８に記載のアセンブリ。
【請求項２２】
前記挿入物の内壁に固定して取り付けられたプラグをさらに備える、請求項１４に記載のアセンブリ。
【請求項２３】
前記プラグが、前記挿入物の前記クラブシャフトからの取り外しを容易にするためにツールを取り外し可能に受け入れる、請求項２２に記載のアセンブリ。
【請求項２４】
前記ツールが、前記挿入物の前記クラブシャフトからの取り外しの間において、固定した取り外し可能取り付けを形成するために、前記プラグにおけるねじ山付き開口部をねじ込むように係合するねじ山付き部を含む、請求項２３に記載のアセンブリ。
【請求項２５】
キーシャフトの一部が前記挿入物の前記クラブシャフトからの取り外しを容易にするために前記プラグと係合するように、前記ツールが、該プラグにおけるキーウェイへの挿入のための該キーシャフトを含む、請求項２３に記載のアセンブリ。
【請求項２６】
前記クラブシャフトおよび前記挿入物の上部を覆うグリップをさらに備える、請求項１４に記載のアセンブリ。
【請求項２７】
前記グリップが、取り外された場合に前記挿入物の上端を露出させる取り外し可能キャップを含む、請求項２６に記載のアセンブリ。
【請求項２８】
前記取り外し可能グリップキャップが、前記クラブシャフトの上部との取り外し可能圧入結合を形成するリブ部を含む、請求項２６に記載のアセンブリ。
【請求項２９】
前記取り外し可能グリップキャップが、基部およびそこから下方に延びる放射状に延びる部分を含み、該放射状に延びる部分の外向きの放射状の動きが、該グリップキャップを前記クラブシャフトに固定するために該放射状に延びる部分が該クラブシャフトの内壁に押圧状態で係合することをもたらす、請求項２６に記載のアセンブリ。
【請求項３０】
前記放射状に延びる部分が、各々が斜めランプを有する複数の移動可能セグメントを含み、かつツールの動きが、その斜めランプが該移動可能セグメントの該斜めランプに力を加えることをもたらし、次に、該移動可能セグメントの放射状の動き、したがって、該放射状に延びる部分の放射状の動きをもたらすように、前記ゴルフクラブが、該移動可能セグメントの該斜めランプと接触するための斜めランプをさらに含む、請求項２９に記載のアセンブリ。
【請求項３１】
前記放射状に延びる部分の前記放射状の動きをもたらす前記ツールの前記動きが、前記取り外し可能グリップキャップおよび該ツールのねじ山付き部のねじ込み係合によってもたらされるように、該取り外し可能グリップキャップがねじ山付き部を含み、かつ該ツールが対応するねじ山付き部を含む、請求項３０に記載のアセンブリ。
【請求項３２】
前記取り外し可能グリップキャップに回転せずに装着され、かつツールをねじ込むように受け入れるディスクをさらに備え、かつ前記放射状に延びる部分が、該ツールの該ディスクとのねじ込み係合が該放射状に延びる部分の前記放射状の動きをもたらすように弾性材料から成る、請求項２９に記載のアセンブリ。
【請求項３３】
所定の剛性またはベンディングモーメントのクラブシャフトであって、長さおよび上端を有する細長い中空ロッドを有する該ゴルフクラブシャフトに取り付けられたクラブヘッドを含むゴルフクラブと、
該クラブシャフトの該所定の剛性またはベンディングモーメントを交換可能に変更するために、該クラブシャフトの中空内部の中に取り外し可能および交換可能に配置される挿入物であって、該挿入物が、長さおよび上端を有する細長い中空ロッドを含む、挿入物と、
該クラブシャフトおよび該挿入物の該上端および該長さの上部を覆うグリップと
を備える、アセンブリ。
【請求項３４】
前記グリップが、取り外された場合に前記挿入物の前記上端を露出させる取り外し可能キャップを含む、請求項３３に記載のアセンブリ。
【請求項３５】
前記取り外し可能グリップキャップが、前記クラブシャフトの上部との取り外し可能圧入結合を形成するリブ部を含む、請求項３４に記載のアセンブリ。
【請求項３６】
前記取り外し可能グリップキャップが、基部およびそこから下方に延びる放射状に延びる部分を含み、該放射状に延びる部分の外向きの放射状の動きが、該グリップキャップを前記クラブシャフトに固定するために該放射状に延びる部分が該クラブシャフトの内壁に押圧状態で係合することをもたらす、請求項３４に記載のアセンブリ。
【請求項３７】
前記放射状に延びる部分が、各々が斜めランプを有する複数の移動可能セグメントを含み、かつツールの動きが、その斜めランプが該移動可能セグメントの該斜めランプに力を加えることをもたらし、次に、該移動可能セグメントの放射状の動き、したがって、該放射状に延びる部分の放射状の動きをもたらすように、前記ゴルフクラブが、該移動可能セグメントの該斜めランプと接触するための斜めランプをさらに含む、請求項３６に記載のアセンブリ。
【請求項３８】
前記放射状に延びる部分の前記放射状の動きをもたらす前記ツールの前記動きが、前記取り外し可能グリップキャップおよび該ツールのねじ山付き部のねじ込み係合によってもたらされるように、該取り外し可能グリップキャップがねじ山付き部を含み、かつ該ツールが対応するねじ山付き部を含む、請求項３７に記載のアセンブリ。
【請求項３９】
前記挿入物が、前記クラブシャフトとの取り外し可能な圧入結合を形成する、請求項３３に記載のアセンブリ。
【請求項４０】
前記挿入物の内壁に固定して取り付けられたプラグをさらに備える、請求項３３に記載のアセンブリ。
【請求項４１】
前記プラグが、前記挿入物の前記クラブシャフトからの取り外しを容易にするためにツールを取り外し可能に受け入れる、請求項４０に記載のアセンブリ。
【請求項４２】
前記ツールが、前記挿入物の前記クラブシャフトからの取り外しの間において、固定した取り外し可能取り付けを形成するために、前記プラグにおけるねじ山付き開口部をねじ込むように係合するねじ山付き部を含む、請求項４１に記載のアセンブリ。
【請求項４３】
キーシャフトの一部が前記挿入物の前記クラブシャフトからの取り外しを容易にするために前記プラグと係合するように、前記ツールが、該プラグにおけるキーウェイへの挿入のための該キーシャフトを含む、請求項４１に記載のアセンブリ。
【請求項４４】
前記挿入物が、第１の部分および第２の部分を含み、かつ該第１の部分が、該第２の部分とは異なる剛性を有する、請求項３３に記載のアセンブリ。
【請求項４５】
前記挿入物が、第１の部分および第２の部分を含み、かつ該第１の部分が、該第２の部分とは異なる材料を用いて作成される、請求項３３に記載のアセンブリ。
【請求項４６】
前記挿入物が、該挿入物の残りの部分と比べてより可撓性のある第１の部分を含む、請求項３３に記載のアセンブリ。
【請求項４７】
前記挿入物の前記第１の部分が、該挿入物の前記残りの部分と比べてより柔らかい材料から成る、請求項４６に記載のアセンブリ。
【請求項４８】
前記挿入物の前記第１の部分が、該挿入物の前記残りの部分の側壁の厚さと比べてより薄い側壁の厚さを含む、請求項４６に記載のアセンブリ。
【請求項４９】
前記挿入物の前記第１の部分が、少なくとも１つのスロットを含む、請求項４６に記載のアセンブリ。
【請求項５０】
前記取り外し可能グリップキャップに回転せずに装着され、かつツールをねじ込むように受け入れるディスクをさらに備え、かつ前記放射状に延びる部分が、該ツールの該ディスクとのねじ込み係合が該放射状に延びる部分の前記放射状の動きをもたらすように弾性材料から成る、請求項３６に記載のアセンブリ。
【請求項５１】
所定の剛性またはベンディングモーメントのゴルフクラブシャフトであって、長さおよび上端を有する細長い中空ロッドを有する該ゴルフクラブシャフトに取り付けられたクラブヘッドを含むゴルフクラブと、
該クラブシャフトの該所定の剛性またはベンディングモーメントを交換可能に変更するために、該クラブシャフトの中空内部の中に取り外し可能および交換可能に配置される挿入物であって、該挿入物が、長さおよび上端を有する細長い中空ロッドを含む、挿入物と、
該挿入物の該クラブシャフトからの取り外しを容易にする取り外しツールを取り外し可能に受け入れるための、該挿入物の内壁に固定して取り付けられたプラグと、
該クラブシャフトおよび該挿入物の該上端および該長さの上部を覆うグリップと
を備える、アセンブリ。
【請求項５２】
前記グリップが、取り外された場合に前記挿入物の上端を露出させる取り外し可能キャップを含む、請求項５１に記載のアセンブリ。
【請求項５３】
前記挿入物が、前記クラブシャフトとの取り外し可能な圧入結合を形成する、請求項５１に記載のアセンブリ。
【請求項５４】
主体部と、
該主体部に取り外し可能に取り付けられたグリップキャップであって、該取り外し可能グリップキャップが、基部およびそこから下方に延びる放射状に延びる部分を含み、該放射状に延びる部分の外向きの放射状の動きが、該グリップキャップを前記クラブシャフトに固定するために該放射状に延びる部分が該クラブシャフトの内壁に押圧状態で係合することをもたらす、グリップキャップと
を備える、ゴルフグリップ。
【請求項５５】
前記放射状に延びる部分が、各々が斜めランプを有する複数の移動可能セグメントを含み、かつツールの動きが、その斜めランプが該移動可能セグメントの該斜めランプに力を加えることをもたらし、次に、該移動可能セグメントの放射状の動き、したがって、該放射状に延びる部分の放射状の動きをもたらすように、該取り外し可能グリップキャップが、該移動可能セグメントの該斜めランプと接触するための斜めランプを有するツールをさらに含む、請求項５４に記載のゴルフグリップ。
【請求項５６】
前記放射状に延びる部分の前記放射状の動きをもたらす前記ツールの前記動きが、前記取り外し可能グリップキャップおよび該ツールのねじ山付き部のねじ込み係合によってもたらされるように、該取り外し可能グリップキャップがねじ山付き部を含み、かつ該ツールが対応するねじ山付き部を含む、請求項５４に記載のゴルフグリップ。
【請求項５７】
前記取り外し可能グリップキャップに回転せずに装着され、かつツールをねじ込むように受け入れるディスクをさらに備え、かつ前記放射状に延びる部分が、該ツールの該ディスクとのねじ込み係合が該放射状に延びる部分の前記放射状の動きをもたらすように弾性材料から成る、請求項５４に記載のゴルフグリップ。
【請求項５８】
ゴルフクラブシャフトと、
請求項５４〜５７のうちのいずれか一項に記載のゴルフグリップと
を備える、アセンブリ。
【発明の詳細な説明】
【技術分野】
【０００１】
本発明は、一般に、ゴルフクラブのための挿入物に関し、より詳細には、ゴルフクラブのシャフトの剛性またはベンドプロフィール（ｂｅｎｄ  ｐｒｏｆｉｌｅ）を交換可能に変更するための取り外し可能で交換可能な挿入物を有するゴルフクラブに関する。
【背景技術】
【０００２】
典型的なゴルフクラブは、クラブシャフトに取り付けられたクラブヘッドを含む。クラブヘッドは、ゴルフボールと接触するように設計されたフェースを含む。クラブシャフトの上端は、しばしば、ゴルファーがクラブを巧みに扱うために握る快適なグリップを含む。
【０００３】
典型的なゴルフスイングのとき、ゴルファーは、クラブヘッドがゴルフボールに隣接してスイングを始める。ゴルファーは次いで、バックスイングとして言及されるアーク動作においてクラブを後方におよび上方に引く。バックスイングの頂上において、ゴルファーは、スイングの方向を反対にし、かつクラブを下方および前方に持ってくる。それによって、クラブヘッドは、ゴルフボールと接触する。
【０００４】
典型的に、ゴルフクラブのシャフトは可撓性があり、スイングのとき、ゴルフクラブが振動するか、または後方および前方に曲がることをもたらす。スイングの始めにおいては、クラブは、クラブシャフトが実質的に真っ直ぐで、中立位置にある。バックスイングのとき、はずみがクラブの中で増大され、かつバックスイングの頂上におけるスイング方向の転換は、シャフトが中立位置から後方に曲がることをもたらす力を生成する。これは、通常、「シャフトラギング（ｌａｇｇｉｎｇ）」として言及される。
【０００５】
シャフトラギングが最大のたわみに達するにつれて、シャフトの剛性は、シャフトが自然と方向を転換し、かつ中立位置に向かって前方方向に跳ね返り、次いで、中立位置を通り過ぎ、かつ中立位置から前方に「シャフトリーディング（ｌｅａｄｉｎｇ）」として通常言及される位置に曲がることをもたらす。シャフトリーディングが最大のたわみを達した場合、シャフトにおける剛性は再度、シャフトが自然と方向を転換し、かつ後方方向において中立位置に向かって跳ね返ることをもたらす。
【０００６】
ゴルフショットの距離を最大化するためには、ゴルファーは、シャフトがその最大のシャフティングラギング位置に達した直後にボールと接触するべきである。そのような場合、ゴルファーのスイングによって生成される力は、シャフトラギング位置から中立位置へ前方にシフトまたは「キック」するというシャフトの自然な傾向によって強められる。クラブヘッドがボールと接触した場合において、シャフトが既に中立位置を通り過ぎてシャフトリーディング位置にあった場合、ゴルファーのスイングによって生成される力は、シャフトリーディング位置から中立位置へ後方にシフトするというシャフトの自然な傾向によって減少される。
【０００７】
このように、ゴルフショットの距離を最大化するためには、ゴルファーは、そのゴルファーの特定のスイングに対して適切である剛性を有するゴルフクラブシャフトを選ぶべきである。この選択は、ゴルファーのスイングによって生成される力およびゴルファーのスイングの速度のようないくつかの要因に従属する。ゴルファーが、そのゴルファーの特定のスイングに対して堅すぎるシャフトを選んだ場合、シャフトは、ゴルフボールの後ろに「キック」を生成するために十分にそらない。ゴルファーが、そのゴルファーの特定のスイングに対して十分に堅くないシャフトを選んだ場合、シャフトは、望まれるより低いまたは高いそれぞれの打ち上げ角度においてクラブヘッドからボールが離れることをもたらして、過剰に遅れるか、またはリードするかのいずれかである。
【０００８】
ゴルファーは、しばしば、試行錯誤を通じて彼らの特定のゴルフスイングと合う適切なクラブシャフト剛性を発見する。したがって、クラブシャフトの剛性またはベンドプロフィールを変更するために、ゴルフクラブに取り外し可能および交換可能に取り付けるための挿入物が必要である。
【発明の開示】
【課題を解決するための手段】
【０００９】
一実施形態においては、本発明は、クラブシャフトの所定の剛性またはベンディングモーメント（ｂｅｎｄｉｎｇ  ｍｏｍｅｎｔ）を交換可能に変更するために、ゴルフクラブシャフトの内部の中に取り外し可能および交換可能に装着するための挿入物を含むゴルフ付属品である。
【００１０】
他の実施形態においては、本発明は、細長い中空ロッドを含む所定の剛性またはベンディングモーメントのゴルフクラブシャフトと、該クラブシャフトの該所定の剛性またはベンディングモーメントを交換可能に変更するために該クラブシャフトの中空内部の中に取り外し可能および交換可能に配置される挿入物とを含むアセンブリである。
【００１１】
さらなる他の実施形態においては、本発明は、長さおよび上端を有する細長い中空ロッドを有する所定の剛性またはベンディングモーメントのゴルフクラブシャフトと、該クラブシャフトの該所定の剛性またはベンディングモーメントを交換可能に変更するために、該クラブシャフトの中空内部の中に取り外し可能および交換可能に配置される挿入物であって、該挿入物は、長さおよび上端を有する細長い中空ロッドを含む、挿入物とを含むアセンブリである。この実施形態においては、アセンブリは、該クラブシャフトおよび該挿入物の該上端および該長さの上部を覆うグリップをさらに含む。他の実施形態においては、該グリップは、取り外された場合に挿入物の上端を露出させる取り外し可能キャップを含む。
【００１２】
さらなる他の実施形態においては、本発明は、長さおよび上端を有する細長い中空ロッドを有する所定の剛性またはベンディングモーメントのゴルフクラブシャフトと、該クラブシャフトの該所定の剛性またはベンディングモーメントを交換可能に変更するために、該クラブシャフトの中空内部の中に取り外し可能および交換可能に配置される挿入物とを含むアセンブリである。該挿入物は、長さおよび上端を有する細長い中空ロッドを含む。該挿入物は、クラブシャフトとの取り外し可能な圧入結合を形成する。アセンブリは、該挿入物の該クラブシャフトからの取り外しを容易にする取り外しツールを取り外し可能に受け入れるための、該挿入物の内壁に固定して取り付けられたプラグと、該クラブシャフトおよび該挿入物の該上端および該長さの上部を覆うグリップであって、該グリップは、取り外された場合に該挿入物の上端を露出させる取り外し可能キャップを含む、グリップとをさらに含む。
【００１３】
さらなる実施形態においては、挿入物の残りの部分とは異なる剛性値またはベンドプロフィールを有する第１の部分を含む。他の実施形態においては、取り外し可能キャップは、ゴルフクラブの残りに取り付けられた場合、ロックするように固定される。
【発明を実施するための最良の形態】
【００１４】
図１〜図１６に示されるように、本発明の実施形態は、シャフトの剛性またはベンドプロフィールを変更するためのゴルフクラブシャフトのための挿入物に向けられる。一実施形態においては、挿入物は、挿入物が複数の異なる挿入物のうちの任意の１つによって置換され得るようにクラブシャフトに取り外し可能に取り付けられる。複数の異なる挿入物は、それぞれ、異なる剛性値またはベンドプロフィールを有する。それによって、クラブシャフトの剛性またはベンドプロフィールは、複数の異なる剛性値のうちの任意の１つまたは複数の異なるベンドプロフィールのうちの任意の１つに変更され得る。
【００１５】
図１は、本発明の一実施形態に従うゴルフクラブ１０を示す。示される実施形態においては、ゴルフクラブ１０は、ゴルフボールと接触するように設計されたクラブフェース１４を有するクラブヘッド１２を含む。クラブヘッド１２は、クラブヘッド１２をクラブシャフト１８に接続するためのホーゼル１６も含む。クラブシャフト１８は、中空内部１９を有する細長い円柱状ロッドである。グリップ２０は、クラブシャフト１８の上部の周囲に対して取り付けられる。
【００１６】
クラブシャフト１８は、所定の剛性またはベンディングモーメントで製造される。この所定の剛性値およびベンディングモーメントは、クラブシャフト１８内に挿入物２２を設置することによって変更され得る。一実施形態においては、挿入物２２は、中空内部１９ａを有する細長い円柱状ロッドである。図１の実施形態においては、挿入物２０の外周およびクラブシャフト１８の内周は、挿入物２２がクラブシャフト１８と結合する圧入を形成するように寸法が近く、かつ挿入物２２の接触面とクラブシャフト１８の接触面との間の摩擦力によってその中に保たれる。
【００１７】
クラブシャフト１８の上部（すなわち、グリップ２０に近接するその部分）は、時々、しり部またはしりとして言及される。クラブシャフト１８の下部（すなわち、クラブヘッド１２の近接するその部分）は、時々、先端部または先端として言及される。この用語法は、挿入物２２にも適用される。
【００１８】
一実施形態においては、挿入物２２の外周は、挿入物２２とクラブシャフト１８との間の一致を改良するためにコーティングを用いて覆われる。このコーティングは、挿入物２２とクラブシャフト１８との摩擦係合から結果として生じ得る任意の雑音を減少させることにも役立つ。一実施形態においては、コーティングは、ポリウレタンベースのコーティングのような柔らかいコーティングである。
【００１９】
好ましくは、挿入物２２は、複数の異なる挿入物のうちの任意の１つによって置換され得るようにクラブシャフト１８に取り外し可能に取り付けられる。複数の異なる挿入物は、それぞれ、異なる剛性値またはベンディングモーメントを有する。それによって、クラブシャフト１８の剛性またはベンディングモーメントは、複数の異なる剛性値またはベンディングモーメントのうちの任意の１つに変更され得る。
【００２０】
図１に示されるように、挿入物２２は、クラブシャフト１８とグリップ２０との組み合わせの中に収められる。すなわち、挿入物２２の長さは、クラブシャフト１８によって覆われ、かつ挿入物２２の上端は、グリップ２０によって覆われる。このように、挿入物２２をクラブシャフト１８から取り外すために、グリップ２０は、挿入物２２およびクラブシャフト１８のそれぞれの上端２３および２５を露出させるために取り外される。
【００２１】
図１は、クラブヘッド１２が典型的なドライバタイプクラブヘッドとして示すが、他のクラブヘッドのうち特に、「ウッド」、「アイアン」および「ウェッジ」として通常言及されるクラブヘッドのような任意の種類のクラブヘッドが、本発明に従って使用され得る。さらに、クラブシャフト１８、挿入物２２およびグリップ２０の特定の実施形態が図１に示されるが、本発明の代替の実施形態を生成するために使用され得る様々な組み合わせである、代替のクラブシャフト、挿入物およびグリップが以下に開示される。
【００２２】
例えば、図１の実施形態においては、グリップ２０は、連続的に全体的に形成されたピースである。この実施形態においては、挿入物２２の取り外しおよび／または置換が望まれた場合、グリップ２０全体は、挿入物２２を露出させるためにクラブシャフト１８から取り外される。しかしながら、他の実施形態においては、グリップは、取り外し可能キャップを含む。そのような実施形態においては、挿入物２２の取り外しおよび／または置換が望まれた場合、挿入物２２を露出させるためにキャップのみが取り外される必要がある。
【００２３】
図２Ａは、そのような一実施形態を示す。この実施形態は、主体２８を有するグリップ２０Ａを含む。グリップ２０Ａの主体２８は、クラブシャフト１８Ａの長さの上部を覆う（図１に示されるような、クラブシャフト１８の長さの上部に亘るグリップ２０の覆いと類似する）。上述されたように、挿入物２２は、クラブシャフト１８内に取り外し可能に配置される。グリップキャップ３０は、グリップ２０Ａの挿入物２２、クラブシャフト１８および主体２８のそれぞれの上端２３、２５Ａおよび２７を取り外し可能に覆う。
【００２４】
この実施形態においては、グリップキャップ３０は、下向きに延びるリブ部３２を含む。リブ部３２は、外向きに延びるリブ３３を有する。リブ３３は、リブ３３がクラブシャフト１８Ａの上部３４の内側壁に摩擦的に係合した場合において、クラブシャフト１８Ａの上部３４に対して取り外し可能な圧入結合を形成する。
【００２５】
図２Ｂは、グリップが取り外し可能キャップ３０Ｂを含む他の実施形態を示す。示されていないが、取り外し可能グリップキャップ３０Ｂは、図２Ａに示されるように、グリップ主体２８に取り外し可能に取り付けられる。示されるように、グリップキャップ３０Ｂは、クラブシャフト１８の上部３４の内側壁に押圧状態で係合するように放射状に伸張可能である下向きに延びる部分３２Ｂを含む。示されるように、放射状に伸張可能な部分３２Ｂは、スロット４４によってそれぞれが離される複数の移動可能セグメント４２を含む。それは、セグメントが下述されるようなツール４０によって移動された場合において、部分３２Ｂの放射状の動きを可能にする。
【００２６】
移動可能セグメント４２の各々は、ねじ山付き内側壁４６およびねじ山付き内側壁４６に隣接する斜めランプ部４８を含む。グリップキャップ３０Ｂは、同様に、移動可能セグメント４２のねじ山付き内側壁４６と並べられる内部ねじ山４７（図３および図４参照）を有する開口部５１を含む。ツール４０は、移動可能セグメント４２のねじ山付き内側壁４６とグリップキャップ３０Ｂの内部ねじ山４７との両方をねじ込むように係合する外部ねじ山５０を含む。ツール４０は、移動可能セグメント４２のランプ部４８との係合のために、皿頭５２のような斜めランプ部も含む。
【００２７】
図３は、移動可能セグメント４２の放射状の動きの前にグリップキャップ３０Ｂに挿入されたツール４０を示す。図３に示される位置においては、ツール４０の皿頭５２の最も大きな部分は、移動可能セグメント４２のランプ部４８の最も大きな部分と接触している。ツール４０が、図３の位置から図４の位置までグリップキャップ３０Ｂに対して上方に移動されるにつれて、皿頭５２の最も大きな部分は、移動可能セグメント４２のランプ部４８の小さくて、さらに小さい部分へと次第に接触する。皿頭５２の最も大きな部分がそれより小さいランプ部４８の部分と触れる度に、その大きな部分は、図４における矢印によって示されるように移動可能セグメント４２が放射状に外向きに延びることをもたらして、より小さなランプ部に力を与える。
【００２８】
一実施形態においては、グリップキャップ３０Ｂは、クラブシャフト１８の上部３４Ｂの内側壁内に放射状に伸張可能な部分３２Ｂを挿入することによって、グリップ２０Ｂの主体２８に取り外し可能に接続される。ツール４０は次いで、移動可能セグメント４２のねじ山付き内側壁４６のねじ山およびグリップキャップ３０Ｂの内部ねじ山４７と、ねじ込むように係合され得る。一実施形態においては、ツール４０は、グリップキャップ３０Ｂにおける開口部５１からアクセス可能であるキーウェイ５４を含む。キー（図示されず）は、グリップキャップ３０Ｂの放射状に伸張可能な部分３２Ｂの移動可能セグメント４２とクラブシャフト１８の上部３４Ｂの内側壁との間に圧入の所望のレベルを得るために、移動可能セグメント４２が所望の量にまで放射状に延ばされるまでツール４０を回転するためにキーウェイ５４に挿入され得る。代替の実施形態においては、グリップキャップ開口部５１のみまたは移動可能セグメント内側壁４６のみがねじ込まれる。
【００２９】
一実施形態においては、ツール４０は、皿頭を有するねじであり、かつツール４０のキーウェイ５４は、アレンレンチの受け入れのための開口部である。グリップキャップ３０Ｂの放射状に伸張可能な部分３２Ｂが、適切な量によって、クラブシャフト１８の上部３４Ｂの内側壁に対して圧縮された場合、グリップキャップ３０Ｂは動かない。したがって、グリップキャップ３０Ｂの取り外し可能な接続は、ゴルフクラブが取り外し可能な部分を有することができないことを特定する米国ゴルフ協会の規定に従うべきである。一実施形態においては、ツール４０は、空気通路５３を含む。空気通路は、クラブシャフト１８内の空気圧を変化させずに、ツール４０の動きを可能にする。
【００３０】
図２Ｃは、グリップが取り外し可能なキャップ３０Ｃを含む他の実施形態を示す。再度、示されていないが、取り外し可能なグリップキャップ３０Ｃは、図２Ａに示されるもののように、グリップ主体２８に取り外し可能に取り付けられる。示されるように、グリップキャップ３０Ｃは、クラブシャフト１８の上部３４の内側壁に押圧状態で係合するように放射状に伸張可能である、下向きに延びる部分３２Ｃを含む。この実施形態においては、少なくとも放射状に伸張可能な部分３２Ｃ、および好ましくは、グリップキャップ３０Ｃ全体は、他の適切な材料のうち、特にゴムまたは他の類似するポリマーのような弾性材料から成る。
【００３１】
ツール４１とディスク４３との相互作用は、放射状に伸張可能な部分３２Ｃの放射状の拡大をもたらす。示されるように、グリップキャップ３０Ｃは、ツール４１を受け入れるための開口部４５およびツール４１のヘッドを受け入れるための凹部を含む。ディスク４３は、グリップキャップ３０Ｃに対して回転せずに付着される。ツール４１は、ディスク４３の中の内部ねじ山と一致する外部ねじ山を含む。ツール４１をディスク４３にねじ込むことは、ツール４１のヘッドがディスクに相対して動くことをもたらす。ツール４１のヘッドがディスク４３に向かって動いた場合、その間にある材料は圧縮され、放射状に伸張可能な部分３２Ｃが放射状に広がることをもたらす。グリップキャップ３０Ｃがクラブシャフト１８に挿入された場合、この放射状の拡大は、放射状に伸張可能な部分３２Ｃがクラブシャフト１８の上部３４の内側壁に押圧状態で係合されるまで続き得る。
【００３２】
一実施形態においては、ツール４１のヘッドは、アレンレンチのヘッドを受け入れるための開口部を含む。さらに、一実施形態においては、ディスク４１は、六角ナットのような多辺形要素と一体化して形成され得るか、またはそうでない場合、それに回転せずに付着され得、かつグリップキャップ３０Ｃは、対応する多辺形要素を受け入れるための多辺形凹所を有し得る。多辺形凹所の多辺形要素との相互作用は、ツール４１のディスク４３とのねじ込み係合の間のディスク４３の回転を防ぐ。しかしながら、他の実施形態においては、ディスク４３は、ディスク４３とグリップキャップ３０Ｃとの間の回転可能な動きを防ぐための適切な様式によって、グリップキャップ３０Ｃに装着され得る。図２Ｂに対して上述されるように、ツール４１は、空気通路も含み得る。
【００３３】
図５〜図７Ｂは、挿入物２２をクラブシャフト１８から取り外すための方法を示す。図１のグリップ２０およびクラブシャフト１８は図５〜図７Ｂに示されるが、前述された任意のグリップおよびクラブシャフトは、図５〜図７Ｂに示され、かつすぐに下述される取り外し技術を用いて使用され得る。図５に示されるように、プラグ２４は、任意の適切な取り付け手段によって、挿入物２２の内部壁に固定して取り付けられる。例えば、プラグ２４は、エポキシのような接着剤の手段によって挿入物２２に取り付けられ得る。
【００３４】
プラグ２４は、ツール２８がクラブシャフト１８の挿入物２２のそれぞれの上端２３および２５を介して挿入されることを可能にすることによって（グリップおよび／またはグリップキャップがこれらの上端２３および２５を露出させるために取り外されたことを仮定して）、挿入物２２のクラブシャフト１８からの取り外しを容易にする。ツール２８は次いで、プラグ２４に取り付けられ得、かつ挿入物２２がクラブシャフト１８から取り外されるまでクラブシャフト１８に対して上向きに引っ張られ得る。
【００３５】
ツール２８のプラグ２４への取り付けは、挿入物２２のクラブシャフト１８からの取り外しの間、プラグ２４と係合したまま残ることを可能にするために適切である任意の取り外し可能取り付け0手段によって行われ得る。図６Ａおよび図７Ａの実施形態においては、ツール２８は、プラグ２４における内部的なねじ山付き開口部２６をねじ込むように係合するための外部的なねじ山付き部分２９を含む。このねじ込み係合は、挿入物２２の取り外し処理の間じゅう、ツール２８のプラグ２４との係合を保証する、ツール２８とプラグ２４との強い取り外し可能な取り付けを提供する。
【００３６】
図６Ｂおよび図７Ｂの実施形態においては、ツール２８Ａは、プラグ２４Ａにおけるキーウェイ２６Ａへの挿入のためにキー２９Ａを含む。キー２９Ａがキーウェイ２６Ａに挿入された場合、キー２９Ａは、プラグ２４Ａと係合し、かつ挿入物２２のクラブシャフト１８からの取り外しを可能にするために回転され得る。例えば、図６Ｂおよび図７Ｂの実施形態においては、キー２９Ａは、突出端３１を有する。突出端３１は、キーウェイ２６Ａに一旦挿入され、それを介して回転されると、挿入物２２の取り外しを可能にするためにプラグ２４Ａの下面をブロックするように触れている。
【００３７】
図１を再度参照すると、クラブヘッド１２がゴルフボールを打った場合、ストレスが、クラブシャフト１８および挿入物２２の至る所に分散される。挿入物２２の先端に最も近いクラブシャフトの部分が割れに対して最も影響されやすいため、一実施形態においては、挿入物２２の下部６０は、挿入物２２の残りと比べてより可撓性がある。単に一例として、一実施形態においては、挿入物２２のより可撓性がある下部６０は、おおよそ、挿入物２２の最も低い４インチを含む。
【００３８】
挿入物２２の下部６０は、以下の１つ以上の任意の組み合わせのような様々な適切な手段のうちの任意の１つによって、挿入物２２の残りと比べてより可撓性があるように作成され得る：
・挿入物２２の下部６０を、挿入物２２の残りにおいて使用される材料と比べてより柔らかい材料から製造すること；
・１つ以上のスロット（図９は、挿入物２２の下部６０において形成されるそのようなスロット６０を示す）を、例えば、挿入物２２の下部６０をのこぎりまたはウォータージェットカッターを用いて切断すること（一実施形態においては、４つスロットが挿入物２２の下部６０において形成される）によって形成すること；および
・挿入物２２の下部６０を、挿入物２２の残りの壁の厚さと比べてより薄い壁の厚さで形成すること。
【００３９】
他の実施形態においては、挿入物２２の上部６１は、挿入部２２の残りと比べてより可撓性がある。挿入物２２の上部６１は、挿入物２２の下部６０に対して上述された任意の方法によって、挿入物２２の残りと比べてより可撓性があるように作成され得る。
【００４０】
好ましくは、挿入物２２は比較的、重量が軽い。そのため、一実施形態においては、挿入物２２は、他の適切な材料のうち、特にグラファイト、プラスチックまたは他のポリマーのような軽量材料から製造される。一実施形態においては、挿入物２２は、約１５グラムより少ない。典型的に、挿入物２２の全長は、約２０インチ〜約３０インチである。しかしながら、この挿入物２２は、任意の所望の長さに製造され得る。加えて、製造後、挿入物２２の長さは、挿入物２２を所望の長さに切断することによって変更され得る。一実施形態においては、図８に示されるもののように、挿入物２２の短縮が所望された場合において正確な切断が行われ得るように、かつ様々な交換可能な挿入物の各々が同じ長さに正確に切断され得るように、挿入物２２は、その長さに沿った増分寸法マーキングを含む。
【００４１】
挿入物２２がグラファイトから成る実施形態においては、挿入物２２は、他の適切な技術のうち、特にシートラッピング、フィラメントワインディングおよび内部ブラダー成形のような任意の適切な製造技術によって製造され得る。挿入物２２がプラスチックから成る実施形態においては、挿入物２２は、他の適切な技術のうち、特に射出成形のような任意の適切な製造技術によって製造され得る。
【００４２】
例えば、挿入物２２は、本発明の一実施形態に従うと、三層の材料を含むグラファイトシートラッピング製造の方法において作成される。この実施形態においては、材料の第１の層は、一平方メートルあたり約１００グラム以下の面積あたりの重さのプレプレグを有する軽量スクリムである。この層は、マンドレルの周りを一周して巻かれる。第２の層は、Ｔｏｒａｙ  Ｔ７００，Ｍ３０，Ｍ４０Ｊ，Ｍ４６ＪまたはＭ５０Ｊのような通常のＴｏｒａｙグラファイト材料のうちの任意の１つから成り得る。この層も、マンドレルの周りを一周して巻かれる。第３の層も、上記に列挙された任意のＴｏｒａｙグラファイト材料から成り得る。
【００４３】
図１４は、本発明に従う、様々な挿入物を生成するためにシートラッピング処理において使用される材料の様々な組み合わせを示す。これらの組み合わせが単に例示的であり、かつ網羅的なリストを意図しないことが理解されるべきである。図１４においては、第１の列は材料の種類を示し、第２の列は材料の重さ（一平方メートルあたりのグラムの単位にて）を示し、かつ第３の例は挿入物２２の縦軸に対するグラファイトファイバの角度を示す。
【００４４】
一実施形態においては、挿入物２２の下部６０の可撓性を増大させるために、第２の層は、挿入物２２の残りと比べてより低いモジュラスレーティング（ｍｏｄｕｌｕｓ  ｒａｔｉｎｇ）を有する材料を用いて作成される第２の層の下部（挿入物２２の下部６０に対応する）を有して、プレプレグの２つのピースから成る。一実施形態においては、第１および第３の層は反転される。製造処理の間、３つの層は、一緒に積み重ねられ、かつ１つの単一の動作において巻かれる。この処理は、挿入物２２の上部６１の可撓性を増大させるためにも使用され得る。
【００４５】
図１０は、本発明の一実施形態に従う、クラブシャフトのベンディングプロフィールを示す。ベンディングプロフィールは、クラブシャフトの長さに沿って様々なポイントに１０ポンドの重さが加えられた場合においてクラブシャフトのミリメートルにおけるたわみを示す。ここで、０インチがクラブシャフト１８の先端であり、かつ各々の連続のテストポイントがそこから増加的に５インチずつ増える。
【００４６】
図１１〜図１３は、図１１が最も堅くない挿入物を有し、かつ図１３が最も堅い挿入物を有して、図１０のベンディングプロフィールを生成するために使用されたクラブシャフト内に挿入される次第に堅くなる挿入物を有して、図１０と類似するベンディングプロフィールを示す。
【００４７】
挿入物の可能なベンドプロフィールをさらに広げるために、挿入物は、一緒に連結されている２つの部分の中にあり得る。図１５は、そのような挿入物２２Ａを示す。この実施形態においては、挿入物２２Ａの上部７０および挿入物２２Ａの下部７２は、異なる剛性またはベンディングプロフィールを有する材料から成る。例えば、一実施形態においては、部分７０または７２のうちの１つは、プラスチック材料から成り、かつ部分７２または７０のうちのもう一方は、グラファイト材料から成る。上部および下部７０および７２は、任意の適切な方法によって連結され得る。
【００４８】
図１６は、本発明の一実施形態に従う、クラブシャフトのベンディングプロフィールを示す。ベンディングプロフィールは、クラブシャフトの長さに沿って様々なポイントに１０ポンドの重さが加えられた場合においてクラブシャフトのミリメートルにおけるたわみを示す。ここで、０インチがクラブシャフト１８の先端であり、かつ各々の連続のテストポイントがそこから増加的に５インチずつ増える。
【００４９】
三角形を用いて示されるデータポイントは、クラブシャフト１８に挿入物が装着されていないクラブシャフト１８を示す。ダイアモンド形を用いて示されるデータポイントは、クラブシャフト１８に挿入される挿入物２２Ａを有するクラブシャフト１８を示し、下部７２は、上部７０の材料と比べてより可撓性のある材料から成る。四角形を用いて示されるデータポイントは、クラブシャフト１８に挿入される挿入物２２Ａを有するクラブシャフト１８を示し、上部７０は、下部７２の材料と比べてより可撓性のある材料から成る。
【００５０】
一実施形態においては、複数の挿入物２２が作成され、かつセットにおいて提供される。ここで、各挿入物２２は、クラブシャフト１８の剛性またはベンディングモーメントを変更するために複数の挿入物２２が順番にクラブシャフト１８に取り外し可能および交換可能に挿入され得るように、異なる剛性またはベンディングモーメントを有する。ゴルファーは次いで、様々な挿入物２２を互いに比較し得、かつそのゴルファーの特定のスイングに最も適した１つを選択し得る。ゴルファーは、クラブシャフト１８の剛性を異なるゴルフコースに対してまたは他の状況に対して調節もし得る。それとして、様々な剛性またはベンディングモーメントを有するクラブシャフト１８が、複数のクラブシャフトを必要とせずに取得され得る。
【００５１】
前述の説明は、本発明の様々な実施形態を参照して示された。本発明が属する分野および技術の当業者は、説明された構造および動作の方法における変更および変化が本発明の精神および範囲から大きく逸脱せずに実践され得ることを理解するであろう。
【図面の簡単な説明】
【００５２】
【図１】図１は、本発明に従う、ゴルフクラブの一実施形態の側面図である。
【図２Ａ】図２Ａは、本発明に従う、ゴルフクラブとの使用のためのグリップの一実施形態の組立分解側面図である。
【図２Ｂ】図２Ｂは、本発明に従う、ゴルフクラブとの使用のための取り外し可能グリップキャップの他の実施形態の斜視図である。
【図２Ｃ】図２Ｃは、本発明に従う、ゴルフクラブとの使用のための取り外し可能グリップキャップのさらなる他の実施形態の側面図である。
【図３】図３は、自然な状態における図２Ｂのグリップキャップの断面図である。
【図４】図４は、放射状に延びた状態における図２Ｂのグリップキャップの断面図である。
【図５】図５は、挿入物に付着されたプラグを示す本発明に従う、ゴルフクラブの一実施形態の上部の断面図である。
【図６Ａ】図６Ａは、図５のライン６Ａ−６Ａに沿ってとられた図５のゴルフクラブの断面図である。
【図６Ｂ】図６Ｂは、本発明に従う、挿入物に付着された代替のプラグの断面図である。
【図７Ａ】図７Ａは、図６Ａのプラグとの使用のためのツールである。
【図７Ｂ】図７Ｂは、図６Ｂのプラグとの使用のためのツールである。
【図８】図８は、本発明に従う、挿入物の一実施形態の上部の側面図であって、その外面の寸法マーキングを示す。
【図９】図９は、本発明に従う、挿入物の一実施形態の下部の斜視図である。
【図１０】図１０は、本発明の一実施形態に従う、クラブシャフトのベンディングプロフィールを示す。
【図１１】図１１は、図１０のベンディングプロフィールを生成するために使用されたクラブシャフト内に挿入される本発明の一実施形態に従う挿入物を有して、図１０と類似するベンディングプロフィールを示す。
【図１２】図１２は、図１１のベンディングプロフィールを生成するために使用されたクラブシャフト内に挿入される、図１１の挿入物と比べてより堅い挿入物を有して、図１０と類似するベンディングプロフィールを示す。
【図１３】図１３は、図１０のベンディングプロフィールを生成するために使用されたクラブシャフト内に挿入される、図１２の挿入物と比べてより堅い挿入物を有して、図１０と類似するベンディングプロフィールを示す。
【図１４】図１４は、本発明に従う、挿入物の様々な例示的材料構成を示すチャートである。
【図１５】図１５は、本発明の一実施形態に従う例示的挿入物であり、挿入物の上部および下部は、異なる剛性またはベンディングプロフィールを有する材料から成る。
【図１６】図１６は、本発明の様々な実施形態に従う、クラブシャフトのベンディングプロフィールを示す。
【図１】
2008521491.tif 000003
【図２Ａ】
2008521491.tif 000004
【図２Ｂ】
2008521491.tif 000005
【図２Ｃ】
2008521491.tif 000006
【図３】
2008521491.tif 000007
【図４】
2008521491.tif 000008
【図５】
2008521491.tif 000009
【図６Ａ】
2008521491.tif 000010
【図６Ｂ】
2008521491.tif 000011
【図７Ａ】
2008521491.tif 000012
【図７Ｂ】
2008521491.tif 000013
【図８】
2008521491.tif 000014
【図９】
2008521491.tif 000015
【図１０】
2008521491.tif 000016
【図１１】
2008521491.tif 000017
【図１２】
2008521491.tif 000018
【図１３】
2008521491.tif 000019
【図１４】
2008521491.tif 000020
【図１５】
2008521491.tif 000021
【図１６】
2008521491.tif 000022
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
内部および所定の剛性またはベンディングモーメントを規定するゴルフクラブシャフトと、ツールとともに用いるゴルフ付属品であって、該ゴルフ付属品は、
内壁を有する挿入物であって、該挿入物が該ゴルフクラブシャフトの該内部の中で取り外し可能かつ交換可能に装着されて該ゴルフクラブシャフトの該所定の剛性またはベンディングモーメントを交換可能に変更し得るようなサイズおよび形状である挿入物と、
該挿入物の該内壁に固定して取り付けられたプラグであって、該ツールと噛み合うように構成された開口部を備えるプラグと
を備える、ゴルフ付属品。
【請求項２】
前記挿入物が、前記ゴルフクラブシャフトとの取り外し可能な圧入結合を形成するように適合されている、請求項１に記載のゴルフ付属品。
【請求項３】
前記挿入物が、第１の部分および第２の部分を含み、該第１の部分が、該第２の部分とは異なる剛性を有する、請求項１に記載のゴルフ付属品。
【請求項４】
前記挿入物が、第１の部分および第２の部分を含み、該第１の部分が、該第２の部分とは異なる材料を用いて作成される、請求項１に記載のゴルフ付属品。
【請求項５】
前記ツールは、ツールねじ山を備え、
前記プラグの前記開口部は、該ツールねじ山と係合するように構成されたねじ山付き開口部を備える、請求項１に記載のゴルフ付属品。
【請求項６】
前記ツールは、ツールキーシャフトを備え、
前記プラグの前記開口部は、該ツールキーシャフトと係合するように構成されたキーウェイを備える、請求項１に記載のゴルフ付属品。
【請求項７】
前記挿入物は、第１の挿入物を規定し、
前記ゴルフ付属品は、
内壁を有する第２の挿入物であって、該第２の挿入物が前記ゴルフクラブシャフトの前記内部の中で取り外し可能かつ交換可能に装着されて、該第１の挿入物とは異なる態様で該ゴルフクラブシャフトの前記所定の剛性またはベンディングモーメントを交換可能に変更し得るようなサイズおよび形状である第２の挿入物をさらに備える、請求項１に記載のゴルフ付属品。
【請求項８】
前記ゴルフクラブシャフトの上部を覆うように構成された、取り外し可能グリップキャップを備えるグリップをさらに備える、請求項１に記載のゴルフ付属品。
【請求項９】
前記取り外し可能グリップキャップが、前記ゴルフクラブシャフトの上部との取り外し可能な圧入結合を形成するように構成されたリブ部を備える、請求項８に記載のゴルフ付属品。
【請求項１０】
前記取り外し可能グリップキャップが、基部と、前記ゴルフクラブシャフトの内壁と係合して該グリップキャップを該ゴルフクラブシャフトに固定するように構成された放射状に延びる部分とを備える、請求項８に記載のゴルフ付属品。
【請求項１１】
前記プラグの全体が前記挿入物の内部に位置する、請求項１に記載のゴルフ付属品。
【請求項１２】
ツールとともに用いるアセンブリであって、該アセンブリは、
中空内部および所定の剛性またはベンディングモーメントを規定する細長ゴルフクラブシャフトと、
請求項１〜１１のいずれか一項に記載のゴルフ付属品と
を備える、アセンブリ。
【請求項１３】
ゴルフクラブシャフトとともに用いるゴルフグリップであって、
主体部と、
該主体部に取り外し可能に取り付けられたグリップキャップであって、基部と、該ゴルフクラブシャフトの内部に位置し、非伸張状態と伸張状態との間を移動するように構成された放射状に伸張可能な部分とを備えるグリップキャップと
を備える、ゴルフグリップ。
【請求項１４】
前記伸張可能な部分が、複数の離間した伸張可能な部分を含む、請求項１３に記載のゴルフグリップ。
【請求項１５】
前記グリップキャップが、長手方向に可動な部材を備え、
前記伸張可能な部分と該長手方向に可動な部材とが、それぞれ、該長手方向に可動な部材の所定方向における移動により該伸張可能な部分が伸張するように、構成されている、請求項１３に記載のゴルフグリップ。
【請求項１６】
前記基部が、ねじ山付き内腔を備え、
前記長手方向に可動な部材は、ねじ山付きシャフトを備える、請求項１５に記載のゴルフグリップ。
【請求項１７】
前記伸張可能な部分が、傾斜付き係合表面を備え、
前記長手方向に可動な部材が、傾斜付き係合表面を備える、請求項１５に記載のゴルフグリップ。
【請求項１８】
前記伸張可能な部分は、前記非伸張状態へと付勢される、請求項１５に記載のゴルフグリップ。
【請求項１９】
内部および所定の剛性またはベンディングモーメントを規定するゴルフクラブシャフトとともに用いるアセンブリであって、該アセンブリは、
挿入物であって、該挿入物が該ゴルフクラブシャフトの該内部の中で取り外し可能かつ交換可能に装着されて該ゴルフクラブシャフトの該所定の剛性またはベンディングモーメントを交換可能に変更し得るようなサイズおよび形状である挿入物と、
請求項１３〜１８のいずれか一項に記載されたゴルフグリップと
を備える、アセンブリ。
【国際調査報告】
2008521491.tif 000023